(57)【要約】      （修正有）【課題】コネクタのカード装着排出装置を提供する。【解決手段】コネクタのカード装着排出装置は、基台１にスライド可能にレール台２を設置し、レール台と基台との間に弾性部材１８を設け、弾性部材はレール台に対して基台を離れる作用力を加える。レール台はさらに一方向斜面を備えた突起２２を設け、また基台にスプリングフック３を設け、レール台が完全に基台内に入ると、スプリングフックが突起に係合する。基台にさらにスライド可能にプッシュバー４を設け、プッシュバーと基台の間は記憶伸縮線５で連結し、記憶伸縮線は基台の回路と電気的に接続し、回路がシングルパルス電流を通電すると、記憶伸縮線が収縮して、プッシュバーを引き動かしてスプリングフックを押し、スプリングフックが突起への係合から離脱すると、弾性部材がレール台を基台内側端から弾出する。手動でプッシュバーを操作してレール台を基台内側端から弾出させることもできる。【選択図】図２
0003113097.tif 000002
【実用新案登録請求の範囲】
【請求項１】
コネクタのカード挿入排出装置において、
基台を備えて回路基板を結合し、
スプリングフックを備えてこの基台に設け、
レール台を備えて、これをスライド可能にこの基台に設け、該レール台に該スプリングフックを係合できる突起を設け、このレール台と基台の間に弾性部材を設け、該弾性部材はレール台に対して基台を離れる作用力を加え、
プッシュバーを備えてスライド可能に該基台に設け、
記憶伸縮線を備え、その両端をプッシュバーと基台に接続し、かつ回路基板の回路と電気的に接続して、回路がシングルパルス電流を通電すると、該記憶伸縮線を収縮させることによって、プッシュバーを引き動かしてスプリングフックを押し動かし、該スプリングフックが突起の係合から離脱するようにして成ることを特徴とするコネクタのカード装着排出装置。
【請求項２】
スプリングフックにカム部を設け、且つプッシュバーの端部が該カム部に対応するようにして成ることを特徴とする請求項１記載のコネクタのカード装着排出装置。
【請求項３】
突起は内部方向の側面が斜面であるようにして成ることを特徴とする請求項１および請求項２記載のコネクタのカード装着排出装置。
【請求項４】
プッシュバーの外向きの端部に押圧部を備えて成ることを特徴とする請求項１および請求項２記載のコネクタのカード装着排出装置。
【請求項５】
記憶伸縮線はニッケルチタン合金材料とするようにして成ることを特徴とする請求項１記載のコネクタのカード装着排出装置。
【請求項６】
基台側壁に嵌合溝を設け、且つスプリングフックの一端には該嵌合溝に対応して嵌合柱を備えて、該嵌合柱を該嵌合溝内に組み込み、スプリングフックの別の一端のフック部を自由端に形成するようにして成ることを特徴とする請求項１記載のコネクタのカード装着排出装置。
【請求項７】
プッシュバーの端部にその移動方向と平行に溝を設け、レール台上の突起が該溝内に組み込まれるようにして成ることを特徴とする請求項１および請求項２記載のコネクタのカード装着排出装置。
【考案の詳細な説明】
【技術分野】
【０００１】
本考案はコンピュータホストまたは周辺デバイスに設置するメモリカードあるいはインタフェイスカードのカード装着排出装置に関する。
【背景技術】
【０００２】
外付け形態でコンピュータ機能を拡張する方法は、多くはメモリカードやインターネットカード、インタフェイスカードなどといったカードをコンピュータホストや独立した周辺デバイスのコネクタスロットの中に挿入し、ホストと電気的に接続して必要な機能を得る。公知技術では、このようなカードのコネクタに対する装着排出方式は二つある。
一種は直接着脱式である。カードをコネクタスロット内に強制的に挿入してコンタクトと電気的に接続させ、排出時にも強制的にカードを抜き去る。この方式は、排出時に指でカードを持って抜くため、カードをコネクタに挿入した後も長さの一部をコネクタ外に残しておく必要があり、アクセス中に誤ってカードにぶつかりやすく、カードに保存した電子データが流失したりひどい場合には損壊したりしてしまう。
もう一種はプッシュロック・プッシュアウト式である。カードを強制的にコネクタスロット内に挿入してコンタクトと電気的に接続させ、コネクタ内部の機構でカードを固定し、もう一度カードを押圧すると、コネクタ内部に設けたスプリング装置がカードをコネクタから押し出し、カードを抜くことができるようにする。この方式でカードを挿入後外に露出する長さは大幅に削減されたが、カード押圧時とカード装着排出に力がかかる。
【考案の開示】
【考案が解決しようとする課題】
【０００３】
本考案は公知コネクタのカード装着排出機構ではカード挿入後の露出が長すぎたりカードを押圧して装着排出するのに力がいるという欠点を同時に解決することを課題とする。
本考案は、カードをコネクタスロットに挿入するときには直接挿入方式とし、カードをコネクタから排出するときは、電子による機構制御方式で行うようにして、カードをコネクタに挿入したときは外面に露出しないようにし、且つカード排出を制御するボタンを平面に近く設計することにより、使用中に誤ってカードやボタンに触れてカードを排出してしまいカードのデータ流失や破損を引き起こすことがないようにする。
【課題を解決するための手段】
【０００４】
本考案は第一の技術手段として、基台上にスライド可能にレール台を設置し、レール台と基台の間に弾性部材を設け、弾性部材によりレール台に作用力を加え、レール台が基台の内側端から離れるようにする。
【０００５】
本考案は第二の技術手段として、基台とレール台の間に係合機構を設置する。レール台はカードを挿入できる収容部材を提供し、カードで直接レール台を押して基台内に進入させ、レール台が完全に基台内に進入すると、この係合機構がレール台を固定する。
【０００６】
本考案は第三の技術手段として、基台内にプッシュバーを設置し、ならびに記憶伸縮線を使用してプッシュバーとレール台を接続する。記憶伸縮線を基台に設けた回路と電気的に接続し、回路がシングルパルス電流を通電すると、記憶伸縮線が収縮して、係合機構のレール台固定を解除し、弾性部材によってレール台を基台内部端から押し出す。
【０００７】
本考案は第四の技術手段として、使用者が手動でプッシュバーを操作して、レール台を基台内側端から排出させることができるようにする。
【０００８】
本考案は第五の技術手段として、基台に設けたスプリングフックを、レール台に設けた突起と組み合わせて構成するレール台を固定する係合機構を提供する。レール台が完全に基台内に進入すると、スプリングフックのフック部が突起に係合してレール台を固定する。
【０００９】
本考案は第六の技術手段として、スプリングフックにカム部を設置する。プッシュバーが記憶伸縮線によって引き動かされるかまたは手動で押し動かされると、プッシュバーによってカム部が押され、スプリングフックがレール台の突起への係合から離れ、レール台は弾性部材の作用を受けて基台内側端から弾出される。
【考案の効果】
【００１０】
本考案は電子制御と機械制御の方式を結合してカードのコネクタから排出を制御するようにし、そのためカードが完全にコネクタ内部に進入して露出しないように設計でき、カード排出を制御するボタンも平面に近い形態に設計してよく、アクセス中に誤ってカードやボタンに触れてカードが排出されることによる、データ流失や破損といった問題の発生を避けることができる。
【考案を実施するための最良の形態】
【００１１】
図１に示すように、本考案は基台１、レール台２、スプリングフック３、プッシュバー４を備える。基台１は両側に位置する側壁１１を備え、側壁１１の上下面に複数の凸柱１４と孔１５を備える。二つの側壁１１の内側にガイド溝１２を備え、ガイド溝１２は基台１内側端まで延伸する平板１２１を備える。少なくとも一側壁１１にくぼみ１３と、くぼみ１３に連結した嵌合溝１３１を設ける。基台１の上下面を覆ってそれぞれ上板１６と下板１７を設け、上板１６の下面と下板１７の上面に凸柱１４に対応した通孔１６２と１７１、ならびに孔１５に対応した棒１６１を設け、凸柱１４と通孔１６２、１７１との結合、棒１６１と孔１５との結合によって上・下板１６、１７を基台１に固定する。下板１７上にコネクタに必要な回路基板を設置することができる（図中未表示）。基台１の内側端面に複数の固定柱１９を設置し、各固定柱１９に弾性部材１８を組み込む。基台１の側壁１１外面に突出部材１１１を設置し、記憶伸縮線５の一端を突出部材１１１に固定して接続する。記憶伸縮線５はニッケルチタン合金材料で製造した線材であってよい。その特徴は、記憶伸縮線にシングルパルス電流が流れると、記憶伸縮線の長さが収縮することである。
【００１２】
スプリングフック３はスプリング鋼片で成形すると最もよく、一端にフック部３２を備え、別の一端に嵌合溝１３１に対応した嵌合柱３１を備える。スプリングフック３の側面にはカム部３３を設ける。嵌合柱３１を嵌合溝１３１に組み込んで、スプリングフック３を基台１に固定し、フック部３２が自由端を形成して基台１の内部方向を向くようにする。
【００１３】
レール台２の好適な実施例は「コ」形体とし、「コ」形体の向かい合う両側のレール２１の内側に適当な長さのカードガイド２３を設け、カードガイド２３の内側端を底部２３１とする。また少なくとも一レール２１の外側面の適当な位置に突起２２を設置し、突起２２の内側端に向いた一側面を斜面２２１に形成し、突起２２を単斜面を備えたブロック体とする。
【００１４】
プッシュバー４の好適な実施例は、一端にレール台２の移動方向に平行な溝４２を備えるように形成し、溝４２は突起２２を収容してその中を移動するようにする。プッシュバー４の別の一端は彎曲成形するかまたはその他の方法で押圧部４１を成形する。プッシュバー４の適当な位置に延伸部材４３を設置する。記憶伸縮線５の別の一端はこの延伸部材４３に固定する。
【００１５】
以上の各部材のアセンブリは、まず弾性部材１８を基台１の固定柱１９に組み込む。スプリングフック３はくぼみ１３に組み込み固定する。レール台２の突起２２をプッシュバー４の溝４２にスライドしていれ、記憶伸縮線５の両端をそれぞれ突出部材１１１と延伸部材４３に固定した後、レール２とプッシュバー４を合わせて基台１のガイド１２に沿って基台１内にスライドして入れる。さらに上板１６と下板１７は基台１の上下面を覆って設置する。
【００１６】
図２に示すように、メモリカードまたはインターネットカード６を未挿入の状態では、弾性部材１８はレール台２の後端を押して、レール台２は基台１の前端に近づいている。このとき、スプリングフック３のフック部３２は突起２２に係合していない。
【００１７】
図３に示すように、カード６をレール台２のカードガイド２３内に挿入し、カード６が底部２３１に接してレール台２を基台１の内側端へ押して移動していくと、スプリングフック３のフック部３２は突起２２の斜面２２１に沿って押し動かされ、レール台２が固定位置まで移動すると、スプリングフック３の弾性によってフック部３２が突起２２に係合し（図４と図５に示す）、レール台２がカードをコネクタから弾出しないようにする。このときの弾性部材１８はレール台２に圧縮されてエネルギーが貯まる。
【００１８】
図６に示すように、カード６を排出したいとき、ボタンを押す（図中未表示）ことによって、予め設けた基台の回路基板の回路がシングルパルス電流を通電し、記憶伸縮線５を収縮させると、プッシュバー４を引き動かして、プッシュバー４の端部がカム部３３を押してスプリングフック３をずらし、フック部３２が突起２２の係合から離脱する。このとき、圧縮されていた弾性部材１８はエネルギーを放出してレール台２を基台１の内側端から押し離し、カード６がコネクタ本体から弾出される（図７に示す）。もちろん使用者はボタンでカード排出を制御しなくてもよく、手動でプッシュバー４の押圧部４１を押すことによっても、直接プッシュバー４にカム部３３を押させてフック部３２が突起２２への係合から離脱するようにもでき、同様にカード排出の目的が達成される。
【図面の簡単な説明】
【００１９】
【図１】本考案の主な部材の組み合わせ関係の立体分解図である。
【図２】本考案の構造の俯瞰平面図であり、カード未挿入の状態である。
【図３】図２に示す状態のレール台にカードを挿入し、レール台が固定されていない状態の図である。
【図４】図３の状態のレール台内側端を基台底部に近づけて移動し、まだ固定されていない状態の図である。
【図５】図４の状態のレール台内側端を基台底部まで移動し、レール台がスプリングフックによって固定された状態の図である。
【図６】図５の状態のプッシュバーがスプリングフックを押し動かし、フック部がレール台の突起への係合を離脱する状態の図である。
【図７】図６の状態のレール台が基台の外側端へ移動する過程で、スプリングフックが元の位置に戻る状態の図である。
【符号の説明】
【００２０】
１ 基台 
１１ 側壁
１１１ 突出部材
１２ ガイド溝
１２１ 平板
１３ くぼみ
１３１ 嵌合溝
１４ 凸柱
１５ 孔
１６ 上板
１６１ 棒
１６２ 通孔
１７ 下板
１７１ 通孔
１８ 弾性部材
１９ 固定柱
２ レール台
２１ レール
２２ 突起
２２１ 斜面
２３ カードガイド
２３１ 底部
３ スプリングフック
３１ 嵌合柱
３２ フック部
３３ カム部
４ プッシュバー
４１ 押圧部
４２ 溝
４３ 延伸部材
５ 記憶伸縮線
６ カード
【図１】
0003113097.tif 000003
【図２】
0003113097.tif 000004
【図３】
0003113097.tif 000005
【図４】
0003113097.tif 000006
【図５】
0003113097.tif 000007
【図６】
0003113097.tif 000008
【図７】
0003113097.tif 000009